(57)【要約】【課題】外刃ホルダーの装着部に対する固定構造を強化して、落下衝撃や衝突衝撃を受けるような場合にも、外刃ホルダーが装着部から抜け外れたり、あるいはその一部が破損したりするのを解消できる電気かみそりを提供する。【解決手段】外刃ホルダー６の装着開口６ａに、下向きに突出する内壁４６を形成する。本体ケース１と内壁４６との間には、外刃ホルダー６を分離不能にロック保持するロック構造を設ける。外刃ホルダー６が装着される装着部２１の周縁には、内壁４６を受け入れる凹部４７と、内壁４６を受け止める規制壁４８とを設ける。外刃ホルダー６を装着部２１に装着した状態において、内壁４６と規制壁４８とが内外に接合して、内壁４６が規制壁４８で受け止め保持されるようにする。【選択図】図１
2006051146.tif 000002
【特許請求の範囲】
【請求項１】
かみそり上部に設けた装着部（２１）に外刃ホルダー（６）が外嵌装着されており、
外刃ホルダー（６）の装着開口（６ａ）に、下向きに突出する内壁（４６）が形成されており、
本体ケース（１）と内壁（４６）との間に、外刃ホルダー（６）を分離不能にロック保持するロック構造が設けられており、
装着部（２１）の周縁に、内壁（４６）を受け入れる凹部（４７）と、内壁（４６）を受け止める規制壁（４８）とが形成されており、
外刃ホルダー（６）を装着部（２１）に装着した状態において、内壁（４６）と規制壁（４８）とが内外に接合して、内壁（４６）が規制壁（４８）で受け止め保持されることを特徴とする電気かみそり。
【請求項２】
ロック構造が、本体ケース（１）でロック姿勢とロック解除姿勢とに変位可能に支持されるロック体（３８）と、前記内壁（４６）の内面に形成された係合部（３９）と、ロック体（３８）を係合部（３９）と係合する向きにロック付勢するばね（４０）とを含み、
ロック体（３８）に設けたロック爪（４２）が、係合部（３９）と係合して外刃ホルダー（６）をロック保持している請求項１記載の電気かみそり。
【請求項３】
前記内壁（４６）が舌片状の突壁で形成され、装着部（２１）に内壁（４６）と同形の凹部（４７）が形成されており、
外刃ホルダー（６）を装着部（２１）に装着する際に、前記内壁（４６）と前記凹部（４７）とが他に先行して係合することにより、外刃ホルダー（６）を位置決め案内できる請求項１または２記載の電気かみそり。
【請求項４】
ロック体（３８）のロック爪（４２）が、外刃ホルダー（６）と装着部（２１）との接合面より下方に位置する状態で前記凹部（４７）内に配置されている請求項２または３記載の電気かみそり。
【請求項５】
本体ケース（１）の上部に固定したケース蓋（１６）の周囲に、外刃ホルダー（６）の装着開口（６ａ）を受け止めるフランジ壁（２０）が形成されており、
フランジ壁（２０）に、前記凹部（４７）と、前記内壁（４６）を固定保持する規制壁（４８）とが形成されている請求項３または４記載の電気かみそり。
【請求項６】
本体ケース（１）の上部開口の内面に装着段部（３２）が設けられており、
前記フランジ壁（２０）が装着段部（３２）に上面側から内嵌装着されて、前記規制壁（４８）の周面が段部周壁で受け止め保持されている請求項５記載の電気かみそり。
【発明の詳細な説明】
【技術分野】
【０００１】
本発明は、外刃ホルダーを備えている電気かみそりに関し、かみそりヘッドに装着される外刃ホルダーの固定構造を改良したものである。
【背景技術】
【０００２】
本発明に係る外刃ホルダーの固定構造に関して、本体ケースと外刃ホルダーとの間に、ロック構造を設けることが特許文献１に公知である。外刃ホルダーはかみそりヘッドに外嵌装着してあり、ロック部材のロック爪が、外刃ホルダーの側壁内面に設けた係合突起と係合して、外刃ホルダーをロック保持している。
【０００３】
本発明の電気かみそりに関して、かみそりヘッド部の基本的な構造は特許文献２に公知である。そこでは、箱状の駆動台と、その上面開口を覆う箱状の台蓋とを基体にして、その内部に振動子を配置し、駆動台の下面にモーターを固定している。外刃ホルダーは、台蓋に外嵌する状態で装着されて、台蓋の側壁内面に配置したロック体で分離不能にロック保持してある。なお、駆動台、台蓋、およびモーターを含む駆動ユニットは傾動可能に浮動支持してあって、本体ケースに対して上下、左右、前後、あるいは斜め方向へ傾動できる。
【０００４】
【特許文献１】実公平６−３２０５５号公報（３頁第５欄１５〜２６行、第１図）
【特許文献２】特開２００３−１１７２６８号公報（段落番号００２６、図１１）
【発明の開示】
【発明が解決しようとする課題】
【０００５】
従来の外刃ホルダーの多くは、かみそり上部に設けた装着部に外嵌装着されて、その開口内面が装着部で受け止められ、ロック構造で装着状態を維持できるようになっている。そのため、適正な使用方法に従う限り、外刃ホルダーががたついたり、装着部から抜け外れることはない。しかし、過大な落下衝撃や衝突衝撃を受けるような場合に、外刃ホルダーが装着部から抜け外れ、あるいはその一部が破損することがある。場合によっては、装着部に対する嵌合が緩くなって、外刃ホルダーががたつき、外刃と内刃との密着が不十分になることもある。
【０００６】
本発明の目的は、外刃ホルダーの装着部に対する固定構造を強化して、落下衝撃や衝突衝撃を受けるような場合であっても、外刃ホルダーが装着部から抜け外れ、あるいはその一部が破損するのを解消でき、さらに外刃ホルダーががたつくのを解消できる電気かみそりを提供することにある。
【課題を解決するための手段】
【０００７】
本発明の電気かみそりは、かみそり上部に設けた装着部２１に外刃ホルダー６が外嵌装着されており、外刃ホルダー６の装着開口６ａに、下向きに突出する内壁４６が形成されている。本体ケース１と内壁４６との間には、外刃ホルダー６を分離不能にロック保持するロック構造を設ける。装着部２１の周縁には、内壁４６を受け入れる凹部４７と、内壁４６を受け止める規制壁４８とが形成されており、外刃ホルダー６を装着部２１に外嵌装着した状態において、内壁４６と規制壁４８とが内外に接合して、内壁４６が規制壁４８で受け止め保持されていることを特徴とする。
【０００８】
上記のロック構造は、本体ケース１でロック姿勢とロック解除姿勢とに変位可能に支持されるロック体３８と、前記内壁４６の内面に形成された係合部３９と、ロック体３８を係合部３９と係合する向きにロック付勢するばね４０とを含み、ロック体３９に設けたロック爪４２が、係合部３９と係合して外刃ホルダー６をロック保持する。
【０００９】
前記内壁４６は舌片状の突壁で形成され、装着部２１には内壁４６と同形の凹部４７が形成されており、外刃ホルダー６を装着部２１に装着する際に、前記内壁４６と前記凹部４７とが他に先行して係合することにより、外刃ホルダー６を位置決め案内することができる。
【００１０】
ロック体３８のロック爪４２は、外刃ホルダー６と装着部２１との接合面より下方に位置する状態で前記凹部４７内に配することができる。
【００１１】
本体ケース１の上部に固定したケース蓋１６の周囲には、外刃ホルダー６の装着開口６ａを受け止めるフランジ壁２０を形成し、フランジ壁２０には、前記凹部４７と、前記内壁４６を固定保持する規制壁４８とを形成することができる。
【００１２】
本体ケース１の上部開口の内面には装着段部３２を設け、前記フランジ壁２０を装着段部３２に上面側から内嵌装着して、前記規制壁４８の周面を段部周壁で受け止め保持することができる。
【発明の効果】
【００１３】
本発明では、外刃ホルダー６に設けた内壁４６と本体ケース１との間にロック構造を設け、外刃ホルダー６を分離不能にロック保持できるようにした。そのうえで、外刃ホルダー６が装着される装着部２１の周縁に、内壁４６を受け入れる凹部４７と、内壁４６を受け止める規制壁４８とを形成して、外刃ホルダー６を装着部２１に外嵌装着した状態において、内壁４６を規制壁４８で受け止め保持できるようにしたので、内壁４６がケース外方へ変形するのを規制壁４８で確実に規制でき、その分だけ外刃ホルダー６の装着部２１に対する固定構造を強化できる。したがって、本発明によれば、電気かみそりに落下衝撃や衝突衝撃が作用するような場合であっても、外刃ホルダー６が装着部２１から抜け外れ、あるいはその一部が破損するのを解消できる。外刃ホルダー６ががたついて、外刃７および内刃２５の切れ味を損ねることもない。
【００１４】
本体ケース１に支持されるロック体３８と、前記内壁４６の内面に形成される係合部３９と、ロック体３８をロック付勢するばね４０などでロック構造を構成し、ロック体３９に設けたロック爪４２が係合部３９と係合することにより外刃ホルダー６をロック保持できるようにすると、外刃ホルダー６を装着部６に装着する過程で、内壁４６を規制壁４８で受け止めて位置規制できるので、ロック爪４２と係合部３９とを適正に係合できる。さらに、外刃ホルダー６を装着部６に装着した状態においては、内壁４６が外向きに変形するのを規制壁４８で規制できる。これにより、ロック爪４２と係合部３９との係合状態が解除されるのを確実に防止し、外刃ホルダー６が外力を受けて装着部２１から分離するのをよく防止できる。
【００１５】
内壁４６を舌片状の突壁で形成し、装着部２１に内壁４６と同形の凹部４７を形成しておくと、外刃ホルダー６を装着部２１に装着する過程で、内壁４６と凹部４７とが他に先行して係合し、内壁４６の位置および姿勢を凹部４７で矯正しながら外刃ホルダー６を位置決め案内できるので、外刃ホルダー６の装着部２１に対する取り付けが簡便に行える。例えば、外刃ホルダー６の側壁が平面から見て前後いずれかへずれているような場合でも、外刃ホルダー６を適正な装着姿勢に矯正しながら装着できる。
【００１６】
ロック体３８のロック爪４２が、外刃ホルダー６と装着部２１との接合面より下方に位置する状態で凹部４７内に配置してあると、外刃ホルダー６を装着部２１から取り外した状態において、誤ってロック爪４２に接触し、あるいはロック爪４２が他物と衝突するのを防止して、ロック爪４２の破損や変形、あるいは本体ケース１からの分離を確実に阻止できる。
【００１７】
本体ケース１の上部開口にケース蓋１６を固定し、ケース蓋１６の周囲に設けたフランジ壁２０に凹部４７および規制壁４８を形成すると、本体ケース１とケース蓋１６の成形色を異ならせることにより、電気かみそりの外観上の印象を種々に変更でき、興趣に富む外観デザインとすることが容易となる。凹部４７および規制壁４８が本体ケース１と一体に形成してある場合に比べて、形状および構造の自由度が高く、規制壁４８の強度を必要に応じて容易に増強しやすい利点もある。
【００１８】
本体ケース１の開口内面に装着段部３２を設け、フランジ壁２０を装着段部３２に上面側から内嵌装着して、規制壁４８の周面を段部周壁で受け止め保持する外刃ホルダー６の固定構造によれば、外刃ホルダー６を装着部２１に装着した状態において、内壁４６を規制壁４８で受け止め、さらに規制壁４８を装着段部３２の段部周壁で受け止め保持できるので、外刃ホルダー６に大きな外力モーメントが作用するような場合でも、内壁４６を内外二重の規制壁４８と段部周壁とで強固に受け止めて、内壁４６が破損し、あるいは変形するのを確実に規制できる。したがって、外刃ホルダー６をさらに強固に固定支持できる。
【発明を実施するための最良の形態】
【００１９】
（実施例）  図１ないし図８は本発明に係る往復動型の電気かみそりの実施例を示す。図２および図３において電気かみそりは、上面が開口する筒状の本体ケース１と、本体ケース１に組み込まれる作動ユニット２とを備えている。
【００２０】
本体ケース１の前後面には、モーター起動用のスイッチノブ３や、きわぞり刃ユニット４（図８参照）、およびきわぞり刃ユニット４を上下操作する切換ノブ５などを組み付けてある。符号６は外刃ホルダーであり、その上部内面には前後一対の外刃７・７を配置してある。図５において外刃７は、それぞれカセット枠８に組み付けられて、外刃ホルダー６の内面に装着した内ケース９で上下動可能に支持してある。
【００２１】
図３において作動ユニット２は、本体ケース１内に封入される電装品部２Ａと、本体ケース１から露出するヘッド部２Ｂとを備えており、内フレーム１０を基体にして構成する。内フレーム１０には、モーター１１、２次電池１２、および回路基板１３などの電装品部２Ａを構成する部材が組み付けられる。
【００２２】
図４および図５において、モーター１１が装着される区画の上部には、ねじボスを備えた基枠１５を突設してあり、その上部にケース蓋１６が２個のビス１７で締結固定されている。基枠１５とケース蓋１６との間には、モーター動力で往復駆動される振動子１８を配置してある。ヘッド部２Ｂは、ケース蓋１６と、後述する駆動軸２４、内刃２５などで構成する。
【００２３】
図４においてケース蓋１６は、下向きに開口する左右横長の皿状体からなり、その上面周囲にフランジ壁２０が張り出し形成されている。フランジ壁２０を含むケース蓋１６の上面は、外刃ホルダー６を装着するための装着部２１になっており、ケース上壁の前側３個所と後側２個所に、位置決め突起２２・２３を突設してある。これらの位置決め突起２２・２３で、装着部２１に装着した外刃ホルダー６の前後壁を内面側から受け止める（図６および図７参照）。
【００２４】
先の振動子１８はケース蓋１６の上方に突出する駆動軸２４を備えており、駆動軸２４に前後一対の内刃２５が連結される。駆動軸２４とケース蓋１６との間はパッキン２６で水密状に封止する。
【００２５】
本体ケース１に装填した作動ユニット２は、ケース底壁に挿通したビス２９（図３参照）で締結されて本体ケース１と一体化する。この固定状態において、ケース蓋１６の下開口面は、図１に示すように、本体ケース１の開口内面に突設した台枠３０に内嵌固定され、同時にフランジ壁２０の周面下半部に段落ち形成した嵌合部３１が、本体ケース１の開口内面に形成した装着段部３２に内嵌している。このように、ケース蓋１６の下開口面が台枠３０に内嵌する状態で、作動ユニット２を本体ケース１に固定すると、ケース蓋１６を本体ケース１に対して強固に固定できる。符号３３はケース蓋１６と台枠３０との接合面を封止するシールリングである。
【００２６】
先に説明したように、装着部２１に装着した外刃ホルダー６は、合計５個の位置決め突起２２・２３で係合支持され、さらにロック構造で分離不能にロック固定される。図１においてロック構造は、本体ケース１で出没自在に支持される左右一対のロック体３８と、外刃ホルダー６の側に形成される係合部３９と、ロック体３８を係合部３９に係合する向きにロック付勢する圧縮コイル型のばね４０とで構成する。
【００２７】
ロック体３８は、操作ボタン４１の内面に、鉤形のロック爪４２を一体に形成したプラスチック成形品からなる。操作ボタン４１を、本体ケース１の左右側壁に通設したガイド穴４３に内側から嵌め込み、操作ボタン４１の内面と台枠３０との間にばね４０を介装することにより、ロック体３８はケース外側方へ向かって押し出し付勢されている。
【００２８】
ロック爪４２は、後述する凹部４７内において係合部３９と係合するが、その上端はフランジ壁２０の上面より下方に位置している。外刃ホルダー６を装着部２１から取り外した状態において、ロック爪４２が他物と接触して、破損しあるいは変形するのを確実に防止するためである。
【００２９】
装着部２１に装着した外刃ホルダー６をさらに強固に固定支持するために、外刃ホルダー６の装着開口６ａの左右両側には下向きの内壁４６を突出形成してあり、ケース蓋１６のフランジ壁２０に内壁４６を受け入れる凹部４７と、内壁４６の外面を受け止める規制壁４８とが設けられている。
【００３０】
図８において前記内壁４６は、円弧周面を備えた舌片状の突起からなり、その内面壁に、先の係合部３９が凹み形成されている。凹部４７は内壁４６と同形状とされ、その内壁の前後中央に、ロック爪４２を凹部内へ突出させるための爪溝４９が上下貫通状に形成されている。
【００３１】
上記構成の電気かみそりによれば、外刃ホルダー６を装着部２１に装着した状態においては、その前後壁が５個の位置決め突起２２・２３で係合保持され、さらに左右の内壁４６とケース蓋１６の規制壁４８とが内外に接合して、内壁４６が規制壁４８、および装着段部３２の段部周壁で二重に受け止め保持されるので、外刃ホルダー６を強固に固定支持し、内壁４６が変形するのを確実に規制できる。規制壁４８を外膨らみ状に湾曲形成することにより、規制壁４８自体の構造強度を向上して、内壁４６を強固にバックアップできる利点もある。
【００３２】
したがって、落下衝撃や衝突衝撃を受けるような場合でも、外刃ホルダー６が装着部２１から抜け外れたり、あるいはその一部が破損したりするのをよく解消できるし、外刃ホルダー６ががたつくのも解消できる。また、規制壁４８で受け止められた内壁４６の係合部３９にロック爪４２を係合させて、外刃ホルダー６をロック保持しているので、ロック爪４２と係合部３９とを常に適正な状態で係合できる。
【００３３】
上記の実施例では、前記内壁４６を外刃ホルダー６の左右両側に限って形成したが、例えば、内壁４６を横断面が半円状の湾曲壁で形成し、あるいは装着部２１の周縁に沿って周回する横断面がＣ字状の周回壁や、無端リング状の周回壁で形成することができる。前記内壁４６は、外刃ホルダー６の左右両側のいずれか一方にのみ形成しておくことができる。前記内壁４６の形状は舌片状である必要はなく、逆台形や矩形などに形成されていてもよい。ロック構造の係合部３９は突起で形成することができる。
【００３４】
規制壁４８は本体ケース１の開口内面に形成することができる。嵌合部３１を省略して、フランジ壁２０の周面を装着段部３２に直接に内嵌装着してもよい。ロック体３８は、押しボタン構造である必要はなく、スライド切り換え可能に構成することができる。本発明はロータリー式の電気かみそりにも適用できる。
【図面の簡単な説明】
【００３５】
【図１】外刃ホルダーの装着構造を示す断面図である。
【図２】電気かみそりの正面図である。
【図３】電気かみそりの分解正面図である。
【図４】ヘッド部の分解正面図である。
【図５】ヘッド部の縦断正面図である。
【図６】外刃ホルダーとその装着の関係を示す斜視図である。
【図７】ヘッド部の横断平面図である。
【図８】ヘッド部の分解側面図である。
【符号の説明】
【００３６】
６  外刃ホルダー
６ａ  外刃ホルダーの装着開口
１６  ケース蓋
２０  フランジ壁
２１  装着部
３２  装着段部
３８  ロック体
３９  係合部
４０  ばね
４２  ロック爪
４６  内壁
４７  凹部
４８  規制壁
【図１】
2006051146.tif 000003
【図２】
2006051146.tif 000004
【図３】
2006051146.tif 000005
【図４】
2006051146.tif 000006
【図５】
2006051146.tif 000007
【図６】
2006051146.tif 000008
【図７】
2006051146.tif 000009
【図８】
2006051146.tif 000010